(57)【要約】【課題】外光の状態に応じて最適な表示モードの選択が可能で、透過モードにおいては鮮やかなカラー表示が可能であり、反射モードにおいては明るいモノカラー表示又はモノクロ表示が可能であるとともに、消費電力の低減も実現可能な液晶装置を提供する。【解決手段】本発明の液晶装置１は、一対の基板１０，２０間に液晶層５０を挟持してなる液晶パネル１ａを具備し、各々が異なる色に対応した複数のサブ画素４１Ｒ，４１Ｇ，４１Ｂ，４１Ｗからなる画素Ａを備え、画素Ａの各々には、透過表示を行う透過表示領域Ｔと、反射表示を行う反射表示領域Ｒとが配設されてなり、透過表示領域Ｔは複数のサブ画素４１Ｒ，４１Ｇ，４１Ｂから構成される一方、反射表示領域Ｒは透過表示領域Ｔとは別個のサブ画素４１Ｗから構成されてなることを特徴とする。【選択図】図３
2007121368.tif 000002
【特許請求の範囲】
【請求項１】
一対の基板間に液晶層を挟持してなる液晶パネルを具備した液晶装置であって、
各々が異なる色に対応した複数のサブ画素からなる画素を備え、
前記画素の各々には、透過表示を行う透過表示領域と、反射表示を行う反射表示領域と
が配設されてなり、
前記透過表示領域は複数の前記サブ画素から構成される一方、前記反射表示領域は前記
透過表示領域とは別個の前記サブ画素から構成されてなることを特徴とする液晶装置。
【請求項２】
前記透過表示領域ではフルカラー表示が行われる一方、前記反射表示領域ではモノカラ
ー表示又はモノクロ表示が行われることを特徴とする請求項１に記載の液晶装置。
【請求項３】
前記各サブ画素への注入電荷量を制御するソースドライバを有し、
前記ソースドライバは、前記透過表示領域と前記反射表示領域の前記サブ画素を駆動し
て透過表示と反射表示とを行う透過反射兼用モードと、前記透過表示領域に配設されたサ
ブ画素を駆動して透過表示を行う透過モードと、前記反射表示領域に配設されたサブ画素
を駆動して反射表示を行う反射モードとを選択可能であることを特徴とする請求項１又は
２に記載の液晶装置。
【請求項４】
前記液晶パネルの観察側とは反対側に、当該液晶パネルに照明光を照射する照明装置が
配設され、前記反射モードにおいて前記照明装置が消灯されることを特徴とする請求項３
に記載の液晶装置。
【請求項５】
前記反射モードにおいて、表示データを更新するリフレッシュレートが前記透過反射兼
用モード又は前記透過モードよりも低くされていることを特徴とする請求項３又は４に記
載の液晶装置。
【請求項６】
前記反射モードにおいて、前記透過表示領域に配設されたサブ画素の表示が黒表示とさ
れることを特徴とする請求項３ないし５のいずれか１項に記載の液晶装置。
【請求項７】
前記透過モードにおいて、前記反射表示領域に配設されたサブ画素の表示が黒表示とさ
れることを特徴とする請求項３ないし６のいずれか１項に記載の液晶装置。
【請求項８】
前記ソースドライバの１つを用いて、１つの画素内の前記各サブ画素を時分割駆動する
ことを特徴とする請求項３ないし７のいずれか１項に記載の液晶装置。
【請求項９】
前記一対の基板の少なくとも一方の基板の前記液晶層側には、着色層を含むカラーフィ
ルタ層が配設され、
前記透過表示領域のカラーフィルタ層には、前記各サブ画素毎に異なる色の着色層が配
設される一方、前記反射表示領域のカラーフィルタ層には、前記単一のサブ画素に着色層
又は無色透光層が配設され、
前記反射表示領域の着色層又は無色透光層が前記透過表示領域の着色層よりも前記液晶
層側に突出形成されて、当該反射表示領域の液晶層厚が前記透過表示領域の液晶層厚より
も小さく構成されてなることを特徴とする請求項１ないし８のいずれか１項に記載の液晶
装置。
【請求項１０】
請求項１ないし９のいずれか１項に記載の液晶装置を備えることを特徴とする電子機器
。
【発明の詳細な説明】
【技術分野】
【０００１】
本発明は、反射モードと透過モード、及び反射と透過の両方の表示を行う透過反射兼用
モードを備えた液晶装置、及び電子機器に関する。
【背景技術】
【０００２】
近年、携帯電話やＰＤＡ等の表示装置として、反射モードと透過モードの双方を備えた
半透過反射型の液晶装置が広く使用されている。このような半透過反射型液晶装置として
は、アルミニウム等の金属膜に光透過用のスリット（開口部）を形成した反射膜を下基板
の内面に備え、この反射膜を半透過反射膜として機能させるものが知られている。この場
合、反射モードでは、上基板側から入射した外光が、液晶層を通過した後に下基板の内面
の反射膜で反射され、再び液晶層を通過して上基板側から射出され、表示に寄与する。一
方、透過モードでは下基板側から入射したバックライトからの光が、反射膜の開口部から
液晶層を通過した後、上基板側から外部に射出され、表示に寄与する。したがって、反射
膜の形成領域のうち、開口部が形成された領域が透過表示領域、その他の領域が反射表示
領域となる（特許文献１参照）。
【特許文献１】特開２００３−４３２３９号公報
【発明の開示】
【発明が解決しようとする課題】
【０００３】
このような半透過反射型の液晶装置としては、上基板又は下基板のいずれかにカラーフ
ィルタを設けたものが広く使用されている。例えば、先の特許文献１には、カラーフィル
タを透過表示領域（反射膜の開口部）のみに設けた液晶装置が開示されており、反射モー
ドをカラー表示とせずに、白黒表示として明るさを稼いでいる。
【０００４】
しかしながら、上記の液晶装置では、１つのサブ画素（サブピクセル）に透過表示領域
と反射表示領域とを設けている。そのため、（１）透過カラー表示に反射表示のモノクロ
成分が混じることによる表示品位の低下、（２）反射モノクロ表示に透過表示領域からの
反射光が混じることによる表示品位の低下、（３）反射表示領域及び透過表示領域のみの
液晶駆動ができないため、表示に寄与しないサブピクセルを駆動することによる消費電力
の浪費、等の問題が生じ得る。
【０００５】
本発明はこのような事情に鑑みてなされたもので、外光の状態に応じて最適な表示モー
ドの選択が可能で、透過モードにおいては鮮やかなカラー表示が可能であり、反射モード
においては明るいモノカラー表示又はモノクロ表示が可能であるとともに、消費電力の低
減も実現可能な液晶装置、及びこれを備えた電子機器を提供することを目的としている。
【課題を解決するための手段】
【０００６】
上記の課題を解決するため、本発明の液晶装置は、一対の基板間に液晶層を挟持してな
る液晶パネルを具備した液晶装置であって、各々が異なる色に対応した複数のサブ画素か
らなる画素を備え、前記画素の各々には、透過表示を行う透過表示領域と、反射表示を行
う反射表示領域とが配設されてなり、前記透過表示領域は複数の前記サブ画素から構成さ
れる一方、前記反射表示領域は前記透過表示領域とは別個の前記サブ画素から構成されて
なることを特徴とする。
【０００７】
このような液晶装置によると、透過表示領域と反射表示領域をそれぞれ別個のサブ画素
で構成しているため、透過と反射の表示を別個に最適条件で行うことが可能となる。また
、従来のように透過表示領域と反射表示領域とを同一のサブ画素内に配設する場合とは異
なり、各表示領域を別個のサブ画素で構成しているため、当該各表示領域のサブ画素構造
を任意に最適化することができ、透過及び反射の各表示についてそれぞれ光学特性の最適
化を図ることが可能となる。さらに、各表示領域を別個のサブ画素で構成しているため、
透過又は反射のいずれか一方の表示モードの際には、一方の表示領域においてサブ画素を
駆動状態とし、他方の表示領域においてサブ画素を非駆動状態とすれば、消費電力の削減
を図ることが可能となる。また、透過モードと反射モードの切り換えを各サブ画素の駆動
により実現できるため、環境（外光の状態）に応じた透過と反射の表示切換が可能となる
。さらに、従来の特許文献１のような構成では、透過表示領域と反射表示領域とが同一の
サブ画素内に配置されることで混色の問題が生じたり、透過時に反射の光が視認され又は
反射時に透過の光が視認されてコントラストが低下したりする問題があるが、本発明では
各表示領域が別個のサブ画素を具備してなるため、そのような問題が悉く解決され、混色
防止さらには高コントラストの表示が実現されることとなる。
【０００８】
本発明の液晶装置において、前記透過表示領域ではフルカラー表示が行われる一方、前
記反射表示領域ではモノカラー表示又はモノクロ表示が行われるものとすることができる
。一般的に、透過表示ではバックライト（照明装置）を用いて表示を行い、反射表示では
外光を用いて表示を行う。したがって、透過表示は反射表示に比して表示特性が高く視認
性に優れている。そこで、本発明では、透過表示をフルカラー表示、反射表示をモノカラ
ー表示（単色表示）又はモノクロ表示（白黒表示）として表示の最適化を図っている。具
体的には、透過表示領域に、赤色の着色層が形成された赤色サブ画素と、緑色の着色層が
形成された緑色サブ画素と、青色の着色層が形成された青色サブ画素とを形成する一方、
反射表示領域に、無色透光性の樹脂層が形成されたモノクロサブ画素、又は所定の色の着
色層が形成されたモノカラーサブ画素を形成するものとすることができる。
【０００９】
また、本発明の液晶装置は、前記各サブ画素への注入電荷量を制御するソースドライバ
を有し、前記前記ソースドライバは、前記透過表示領域と前記反射表示領域の前記サブ画
素を駆動して透過表示と反射表示とを行う透過反射兼用モードと、前記透過表示領域に配
設されたサブ画素を駆動して透過表示を行う透過モードと、前記反射表示領域に配設され
たサブ画素を駆動して反射表示を行う反射モードとを選択可能に構成されているものとす
ることができる。このような構成によると、３つの駆動状態を環境（外光状態）に応じて
適宜選択することができるようになる。なお、透過反射兼用モードでは、暗い所では透過
が、明るい所では反射が視認される。
【００１０】
本発明の液晶装置において、前記液晶パネルの観察側とは反対側に、当該液晶パネルに
照明光を照射する照明装置が配設され、前記反射モードにおいて前記照明装置が消灯され
るものとすることができる。つまり、反射モード時は照明装置の照明光は不要なため、上
述のように照明装置を消灯すれば消費電力の低下に寄与することができ、また透過表示領
域からの漏光が視認される不具合発生も防止できることとなる。
【００１１】
また、本発明の液晶装置は、前記反射モードにおいて、表示データを更新するリフレッ
シュレートが透過反射兼用モード又は前記透過モードよりも低くされているものとするこ
とができる。つまり、反射のモノカラー表示又はモノクロ表示では静止画や単調な動画表
示を採用することが多いため、リフレッシュレートを低くすることができるのである。
【００１２】
さらに、前記反射モードにおいて、前記透過表示領域に配設されたサブ画素の表示が黒
表示とされるものとすることができる。反射モードにおいては透過表示が視認されないよ
うにすべきであり、上記のように反射モードで透過表示領域のサブ画素を黒表示とすれば
、表示上余分な光が混ざることを防止できるようになる。
一方、前記透過モードにおいて、前記反射表示領域に配設されたサブ画素の表示が黒表
示とされるものとすることができる。透過モードにおいては反射表示が視認されないよう
にすべきであり、上記のように透過モードで反射表示領域のサブ画素を黒表示とすれば、
表示上余分な光が混ざることを防止できるようになる。
なお、本発明の液晶装置において好ましくはノーマリブラックモードを採用するのが良
い。これにより非駆動状態のサブ画素を黒表示することができる。
【００１３】
また、本発明の液晶装置においては、前記ソースドライバの１つを用いて１つの画素内
の各サブ画素を時分割駆動するものとすることができる。この場合、透過反射兼用モード
では１つのソース出力で透過表示領域の各サブ画素と反射表示領域のサブ画素とを時分割
駆動し、透過モードでは１つのソース出力で透過表示領域の各サブ画素を時分割駆動し、
反射モードでは１つのソース出力で反射表示領域のサブ画素のみを時分割駆動することが
できる。このような時分割駆動の採用によりソースドライバの出力数を小さくすることが
できる。また、表示に寄与しないサブ画素を選択駆動しないことで、表示に寄与するサブ
画素へのデータ書き込みのマージンを広げることが可能となる。
【００１４】
さらに、本発明の液晶装置において、前記一対の基板の少なくとも一方の基板の前記液
晶層側には、着色層を含むカラーフィルタ層が配設され、前記透過表示領域のカラーフィ
ルタ層には、前記各サブ画素毎に異なる色の着色層が配設される一方、前記反射表示領域
のカラーフィルタ層には、前記単一のサブ画素に着色層又は無色透光層が配設され、前記
反射表示領域の着色層又は無色透光層が前記透過表示領域の着色層よりも前記液晶層側に
突出形成されて、当該反射表示領域の液晶層厚が前記透過表示領域の液晶層厚よりも小さ
く構成されてなるものとすることができる。このように反射表示領域に配設された着色層
又は無色透光層を液晶層側に突出形成し、反射表示領域の液晶層厚を透過表示領域の液晶
層厚よりも小さく構成すれば、透過表示領域と反射表示領域とにおいてリタデーションの
均一化を図ることが可能となる。つまり、透過表示では照明装置から入射した光が液晶層
を１回通過して観察側に供される一方、反射表示では観察側から入射した外光が液晶層を
往復するため２回通過して観察側に供されるため、リタデーションの値が不均一となるが
、本発明のように着色層又は無色透光層を液晶層に突出形成することで当該リタデーショ
ン値の均一化を図ることができるのである。なお、反射表示領域における着色層又は無色
透光層の液晶層への突出量は、液晶層厚の半分に設計することが好ましい。
【００１５】
また、本発明の液晶装置において、各サブ画素の面積が異なる構成としても良い。例え
ば反射表示を優先的に使うような場合には、反射表示領域のサブ画素の面積を大きくすれ
ば良い。また、反射表示領域におけるサブ画素の表示色については任意に選択可能である
が、省エネルギーで明るさを向上させるためには、好ましくは無色（白色）が好ましく、
この場合、透過表示に際して色付きが生じる等の問題も回避することができる。
【００１６】
本発明の電子機器は、前述した本発明の液晶装置を備えたことを特徴とする。
これにより、透過モードにおいては鮮やかなカラー表示であり、反射モードにおいては
明るいモノカラー表示又はモノクロ表示が可能な表示部を備えた電子機器を提供すること
ができる。
【発明を実施するための最良の形態】
【００１７】
以下、本発明の実施の形態を図面を用いて説明する。なお、各図においては、各層や各
部材を図面上で認識可能な程度の大きさとするため、各層や各部材毎に縮尺を異ならせて
ある。
【００１８】
［液晶装置］
図１は、薄膜トランジスタを具備した液晶表示装置を示す全体平面図及び断面図であっ
て、本発明の液晶装置の一実施の形態に係るものである。つまり、図１（ａ）は、本実施
形態の液晶表示装置１を各構成要素とともに対向基板側からみた平面構成図、図１（ｂ）
は、図１（ａ）に示すＨ−Ｈ線に沿う断面構成図、図２は、液晶装置の表示領域において
マトリクス状に配列形成された複数のサブ画素における回路構成図である。
【００１９】
図１（ａ）及び図１（ｂ）に示すように、本実施形態の液晶表示装置１は、ＴＦＴアレ
イ基板（アクティブマトリクス基板）１０と、対向基板２０とが平面視略矩形枠状のシー
ル材５２によって貼り合わされ、このシール材５２に囲まれた領域内に液晶層５０が封入
された構成を備えている。枠状のシール材５２の内側には、その内周側に沿って平面視矩
形枠状の周辺見切り５３が形成され、この周辺見切りの内側の領域が画像表示領域５４と
されている。シール材５２の外側の領域には、データ線駆動回路２０１及び外部回路実装
端子２０２がＴＦＴアレイ基板１０の１辺（図示下辺）に沿って形成されており、この１
辺に隣接する２辺に沿ってそれぞれ走査線駆動回路２０４，２０４が形成されている。Ｔ
ＦＴアレイ基板１０の残る１辺（図示上辺）には、画像表示領域１１の両側の走査線駆動
回路２０４，２０４間を接続する複数の配線２０５が設けられている。
【００２０】
また、対向基板２０の各角部においては、ＴＦＴアレイ基板１０と対向基板２０との間
の電気的導通をとるための基板間導通材２０６が配設されている。本実施形態の液晶表示
装置は、透過と反射の両表示が可能な液晶表示装置として構成されている。具体的に、透
過モードではＴＦＴアレイ基板１０側に配置された光源（図示略）からの光を液晶層５０
で適宜変調して対向基板２０側から出射するようになっている。一方、反射モードでは対
向基板２０側からの光（外光等）を液晶層５０において変調してＴＦＴアレイ基板１０上
に形成した反射膜１３（図３参照）で反射させるとともに、当該反射光を再び液晶層５０
で適宜変調して対向基板２０側から出射するようになっている。
【００２１】
なお、データ線駆動回路２０１および走査線駆動回路２０４，２０４をＴＦＴアレイ基
板１０の上に形成する代わりに、例えば、駆動用ＬＳＩが実装されたＣＯＦ（Chip On Fi
lm）基板とＴＦＴアレイ基板１０の周辺部に形成された端子群とを異方性導電膜を介して
電気的および機械的に接続するようにしてもよい。また、液晶表示装置においては、使用
する液晶の種類、すなわち、ＴＮ（Twisted Nematic）モード、ＳＴＮ（Super Twisted N
ematic）モード、垂直配向モード等の動作モードや、ノーマリホワイトモード／ノーマリ
ブラックモードの別に応じて、位相差板、偏光板等が所定の向きに配置されるが、ここで
は図示を省略する。
【００２２】
このような構造を有する液晶表示装置の画像表示領域には、図２に示すように、複数の
サブ画素４１がマトリクス状に配置されており、これらのサブ画素４１の各々には、画素
スイッチング用としてＰ型のｐ−ＳｉＴＦＴ３０が形成されている。このＴＦＴ３０には
マルチゲート構造が採用されており、シングルゲート構造を採用したものに比べて、ＴＦ
Ｔ３０の１つのＴＦＴに印加されるドレイン−ソース間電圧を低減できるようになってい
る。このＴＦＴ３０の複数のゲート電極には走査線３ａが電気的に接続されており、走査
線３ａから所定のタイミングでパルス状の走査信号Ｇ１、Ｇ２、・・・、Ｇｍがこの順に
線順次で印加されるようになっている。また、ＴＦＴ３０のソース部にはデータ線６ａが
電気的に接続されており、１走査期間内に画像信号Ｓ１、Ｓ２、・・・、Ｓｎが供給され
るようになっている。
【００２３】
ＴＦＴ３０のドレイン部には画素電極９が電気的に接続されており、１走査期間内にデ
ータ線６ａから供給される画像信号Ｓ１、Ｓ２、・・・、Ｓｎが各サブ画素に所定のタイ
ミングで書き込まれるようになっている。このようにして画素電極９を介して液晶に書き
込まれた所定レベルの画像信号Ｓ１、Ｓ２、・・・、Ｓｎは、図１（ｂ）に示す対向基板
２０の共通電極２１との間で一定期間保持される。また、保持された画像信号Ｓ１、Ｓ２
、・・・、Ｓｎがリークするのを防ぐために、画素電極９と対向電極２１との間に形成さ
れる液晶容量と並列に保持容量７０が付加されている。
【００２４】
図３は、本実施形態の液晶表示装置を構成するＴＦＴアレイ基板１０上の１画素領域（
隣接画素領域を一部含む）の断面模式図であり、図４は、同じく１画素領域の平面模式図
である。なお、本実施形態では４つのサブ画素４１（図３，４では符号４１Ｒ，４１Ｇ，
４１Ｂ，４１Ｗで示す）を１つのユニットとして１つの画素Ａが構成されている。
ＴＦＴアレイ基板１０には、図２に示したように、先述のデータ線６ａと走査線３ａと
が互いに交差して設けられ、これらのデータ線６ａと走査線３ａとによって区画された略
矩形状の領域によりサブ画素４１が構成されている。そして、サブ画素４１（４１Ｒ，４
１Ｇ，４１Ｂ，４１Ｗ）と略重なる平面領域には、図３及び図４に示すように、ＩＴＯ等
の透明導電材料からなる平面視矩形状の画素電極９が形成されている。
【００２５】
ここで、本実施形態では各サブ画素４１について、サブ画素４１Ｒでは赤色の表示が、
サブ画素４１Ｇでは緑色の表示が、サブ画素４１Ｂでは青色の表示が、サブ画素４１Ｗで
は白色の表示がそれぞれ可能とされている。また、サブ画素４１Ｒ，４１Ｂ，４１Ｇは透
過表示領域Ｔを構成しており、サブ画素４１Ｗは反射表示領域Ｒを構成している。したが
って、本実施形態の液晶表示装置１は、透過表示領域Ｔではフルカラー表示が、反射表示
領域Ｒではモノクロ表示が行われるものとなっている。なお、反射表示領域Ｒに単一の着
色層を配設して、当該反射表示領域Ｒをモノカラー表示可能な構成としても良い。
【００２６】
次に、図３に示す断面構造において、ＴＦＴアレイ基板１０は、例えば石英、ガラス、
プラスチック等からなる基板本体１１の一面側に、下地絶縁膜（図示略）が形成され、こ
の下地絶縁膜上にＴＦＴ３０（図３では図示省略）が設けられている。ＴＦＴ３０は、画
素電極９と接続されており、各画素電極９をスイッチング駆動できる構成とされている。
画素電極９は、各サブ画素４１（４１Ｒ，４１Ｇ，４１Ｂ，４１Ｗ）毎にマトリクス状
に配設されている。なお、反射表示領域Ｒにおいては、基板本体１１上にアルミニウム（
光反射性材料）からなる反射膜１３が形成され、該反射膜１３上に画素電極９が形成され
ている。また、ＴＦＴアレイ基板１０の最表面には、ラビング処理等の配向処理が施され
たポリイミド膜等からなる配向膜１６が設けられている。
【００２７】
他方、対向基板２０は、基板本体２１の液晶層５０側にカラーフィルタ１２、平坦化膜
２４、対向電極２５、配向膜２６を具備して構成されている。カラーフィルタ１２は、画
素Ａ毎に赤色着色層１２Ｒ、緑色着色層１２Ｇ、青色着色層１２Ｂ、及び透光性樹脂層１
２Ｗを具備しており、各着色層１２Ｒ，１２Ｇ，１２Ｂ，１２ＷがブラックマトリクスＢ
Ｍにより区画構成されている。そして、赤色着色層１２Ｒはサブ画素４１Ｒに配設され、
緑色着色層１２Ｇはサブ画素４１Ｇ、青色着色層１２Ｂはサブ画素４１Ｇに配設されて各
サブ画素毎の色を創出しており、これら各色サブ画素を含む透過表示領域Ｔはフルカラー
表示が可能とされている。
【００２８】
また、透光性樹脂層１２Ｗはサブ画素４１Ｗに配設されて、反射表示領域Ｒのモノクロ
表示に寄与しており、且つ各着色層１２Ｒ，１２Ｇ，１２Ｂよりも液晶層５０側に突出す
る凸状部として構成されている。このように透光性樹脂層１２Ｗを凸状部として構成する
ことで、当該反射表示領域Ｒにおける液晶層厚が透過表示領域Ｔにおける液晶層厚よりも
小さく構成されている。具体的には、反射表示領域Ｒの液晶層厚が透過表示領域Ｔの液晶
層厚の半分となるように、透光性樹脂層１２Ｗの突出量が調整されている。なお、この場
合の透光性樹脂層１２Ｗはアクリル樹脂よりなるものを採用している。
【００２９】
次に、このようなカラーフィルタ１２上には透光性樹脂からなる平坦化膜２４を介して
対向電極（共通電極）２５が基板全面ベタ状に配設されている。この場合の対向電極２５
は、画素電極９と同様、ＩＴＯ等の透光性導電材料から構成されている。なお、対向電極
２５の液晶層５０側には、先のＴＦＴアレイ基板１０の配向膜１６と同様のポリイミド膜
からなる配向膜２６が配設されている。
【００３０】
一方、一対の基板１０，２０間に液晶層５０を挟持した構成の液晶パネル１ａの内面側
、つまり当該液晶表示装置１の観察側とは異なる側にはバックライト（照明装置）４０が
配設されている。液晶表示装置１では、このバックライト４０からの光を利用して透過表
示が供され、観察側から入る外光等を利用して反射表示が供される。
【００３１】
ここで、図１に示したデータ線駆動回路２０１は、各サブ画素４１（４１Ｒ，４１Ｇ，
４１Ｂ，４１Ｗ）への注入電荷量を制御可能に構成されており、以下の３つの駆動モード
を選択可能とされている。
（１）全てのサブ画素４１Ｒ，４１Ｇ，４１Ｂ，４１Ｗを駆動して透過と反射との兼用
パネルとして動作する透過反射兼用モード。
（２）透過表示領域Ｔのサブ画素４１Ｒ，４１Ｇ，４１Ｂを駆動して透過パネルとして
動作する透過モード。
（３）反射表示領域Ｒのサブ画素４１Ｗを駆動して反射パネルとして動作する反射モー
ド。
なお、透過反射兼用モードでは、暗所で透過表示が供され、明所で反射表示が供される
。
【００３２】
また、特に反射モードとして動作する場合は、バックライト４０をＯＦＦ状態とし（消
灯し）、表示データを更新するリフレッシュレートを透過モード又は透過反射兼用モード
で作動する場合よりも低く設定している。反射時は照明光が不要であるとともに、反射の
モノクロ表示では、静止画や単調な動画表示が多いため、リフレッシュレートを低くして
も問題ないからである。
【００３３】
なお、本実施形態の液晶表示装置１はノーマリブラックとして構成され、液晶層５０へ
の電荷非印加状態で黒表示が行われるものである。
そして、反射モードで動作中は、透過表示領域Ｔのサブ画素４１Ｒ，４１Ｇ，４１Ｂを
非駆動状態（注入電荷オフ状態）として液晶層５０への電荷を非印加とし、当該透過表示
領域Ｔで黒表示を行うものとしている。
また、透過モードで動作中は、反射表示領域Ｒのサブ画素４１Ｗを非駆動状態（注入電
荷オフ状態）として液晶層５０への電荷を非印加とし、当該反射表示領域Ｒで黒表示を行
うものとしている。
【００３４】
以上のような本実施形態の液晶表示装置１によれば、透過表示領域Ｔと反射表示領域Ｒ
をそれぞれ別個のサブ画素４１で構成しているため、透過と反射の表示を別個に最適条件
で行うことが可能となる。また、透過表示領域Ｔと反射表示領域Ｒとを同一のサブ画素内
に配設する場合とは異なり、各表示領域Ｔ，Ｒを別個のサブ画素で構成しているため、当
該各表示領域Ｔ，Ｒのサブ画素構造を任意に最適化することができ、透過及び反射の各表
示についてそれぞれ光学特性の最適化を図ることが可能となる。
【００３５】
さらに、各表示領域Ｔ，Ｒを別個のサブ画素４１で構成しているため、透過又は反射の
いずれか一方の表示モードの際には、一方の表示領域Ｔ（Ｒ）においてサブ画素４１Ｒ，
４１Ｇ，４１Ｂ（４１Ｗ）を駆動状態とし、他方の表示領域Ｒ（Ｔ）においてサブ画素４
１Ｗ（４１Ｒ，４１Ｇ，４１Ｂ）を非駆動状態とすれば、消費電力の削減を図ることが可
能となる。また、透過モードと反射モードの切り換えを各サブ画素４１Ｒ，４１Ｇ，４１
Ｂ及び４１Ｗの駆動により実現できるため、環境（外光の状態）に応じた透過と反射の表
示切換が可能となる。また、透過表示領域Ｔと反射表示領域Ｒとを同一のサブ画素内に配
置したときに生じ得る混色の問題を回避でき、透過時に反射の光が視認され又は反射時に
透過の光が視認されてコントラストが低下したりする問題も回避できるようになる。
【００３６】
以上、本発明の一実施形態について説明したが、以下のような変形を適宜付与すること
ができる。例えば、本実施形態では各サブ画素４１を同一面積で構成しているが、必ずし
も同一面積で構成する必要はない。例えば、反射モノクロ表示を優先的に使うような場合
は、反射のサブ画素４１Ｗを大きく構成するものとしても良い。また、反射表示の色につ
いては、本実施形態では白黒表示としているが、モノカラー表示として構成することもで
きる。なお、省エネルギーで明るさ向上のためには本実施形態のような白黒表示が好まし
く、この場合、透過反射兼用モードのときに透過表示において色付きが生じ難いものとな
る。さらに、画素Ａ内の各サブ画素４１Ｒ，４１Ｇ，４１Ｂ，４１Ｗの配置は、図４に示
したような並列配置に限らず、例えば図５に示すように正方配置とすることも可能である
。
【００３７】
一方、液晶表示装置１において、１つのソースドライバ出力を用いて１つの画素Ａ内の
各サブ画素４１Ｒ，４１Ｇ，４１Ｂ，４１Ｗを時分割駆動するものとしても良い。具体的
には、図６（ａ）に示すように、透過反射兼用モードでは１つのソース出力２０１ａで透
過表示領域Ｔの各サブ画素４１Ｒ，４１Ｇ，４１Ｂと反射表示領域Ｒのサブ画素４１Ｗと
を時分割駆動し、図６（ｂ）に示すように、透過モードでは１つのソース出力２０１ａで
透過表示領域Ｔの各サブ画素４１Ｒ，４１Ｇ，４１Ｂを時分割駆動し、図６（ｃ）に示す
ように、反射モードでは１つのソース出力２０１ａで反射表示領域Ｒのサブ画素４１Ｗの
みを時分割駆動することができる。このような時分割駆動の採用によりソースドライバの
出力数を小さくすることが可能となり、表示に寄与しないサブ画素を選択駆動しないこと
で、表示に寄与するサブ画素へのデータ書き込みのマージンを広げることが可能となる。
なお、図７に示すように、２画素Ａ１．Ａ２分の各サブ画素４１を１つのソース出力２０
１ａにより時分割駆動することが可能で、場合によっては３画素分の各サブ画素を１つの
ソース出力により時分割駆動することも可能である。
【００３８】
［電子機器］
次に、本発明の電子機器について説明する。図８は、本発明に係る電子機器の一例であ
る携帯電話を示す斜視図である。この携帯電話１３００は、本発明の液晶表示装置を小サ
イズの表示部１３０１として備え、複数の操作ボタン１３０２、受話口１３０３、及び送
話口１３０４を備えて構成されている。この電子機器は、前述した本発明の液晶表示装置
を備えているので、透過モードにおいては鮮やかなカラー表示が可能であり、反射モード
においては明るいモノクロ表示が可能である。
【００３９】
なお、上記実施の形態の液晶表示装置は、上記携帯電話に限らず、電子ブック、パーソ
ナルコンピュータ、ディジタルスチルカメラ、液晶テレビ、ビューファインダ型あるいは
モニタ直視型のビデオテープレコーダ、カーナビゲーション装置、ページャ、電子手帳、
電卓、ワードプロセッサ、ワークステーション、テレビ電話、ＰＯＳ端末、タッチパネル
を備えた機器等々の画像表示手段として好適に用いることができ、いずれの電子機器にお
いても、明るく、高コントラストであり、かつ広視野角の透過／反射表示が可能になって
いる。
【００４０】
以上、添付図面を参照しながら本発明に係る好適な実施の形態例について説明したが、
本発明は係る例に限定されないことは言うまでもない。また、上述した例において示した
各構成部材の諸形状や組み合わせ等は一例であって、本発明の主旨から逸脱しない範囲に
おいて設計要求等に基づき種々変更可能である。本発明においては、少なくとも透過表示
領域Ｔ及び反射表示領域Ｒがそれぞれ独立に駆動するサブ画素から構成されていればよく
、それ以外の構成については任意に設定することができる。例えば、薄膜トランジスタの
代わりに薄膜ダイオードでスイッチング素子を形成したり、カラーフィルタを下基板（Ｔ
ＦＴアレイ基板）側に配設したりすることもできる。また、反射表示領域Ｒにおいては反
射膜１３上に画素電極９を形成するものとしているが、例えば反射膜１３を画素電極とし
て用いることも可能である。さらに、前記の実施形態ではＴＮモードの液晶表示装置につ
いて本発明を適用した例を示したが、ＳＴＮ方式の液晶表示装置、さらにはこれ以外の方
式の液晶表示装置に対して本発明を適用することも可能である。
【図面の簡単な説明】
【００４１】
【図１】本発明の一実施形態に係る液晶表示装置全体の断面模式図及び平面模式図。
【図２】液晶表示装置のサブ画素における回路構成図。
【図３】液晶表示装置の画素領域についての断面模式図。
【図４】液晶表示装置の画素領域についての平面模式図。
【図５】サブ画素の配列について変形例を示す平面模式図。
【図６】ソース出力による時分割駆動について幾つかの例を示す説明図。
【図７】ソース出力による時分割駆動について異なる例を示す説明図。
【図８】本発明の電子機器の一例を示す斜視図。
【符号の説明】
【００４２】
１…液晶表示装置（液晶装置）、１ａ…液晶パネル、１０…ＴＦＴアレイ基板（基板）
、２０…対向基板（基板）、５０…液晶層、４１Ｒ，４１Ｇ，４１Ｂ，４１Ｗ…サブ画素
、Ａ…画素、Ｔ…透過表示領域、Ｒ…反射表示領域
【図１】
2007121368.tif 000003
【図２】
2007121368.tif 000004
【図３】
2007121368.tif 000005
【図４】
2007121368.tif 000006
【図５】
2007121368.tif 000007
【図６】
2007121368.tif 000008
【図７】
2007121368.tif 000009
【図８】
2007121368.tif 000010